(57)【要約】【課題】母乳パッドにおけるフランジ部の折れ曲がりを防ぐ。【解決手段】母乳パッド１が吸収体２３におけるコア２７の周縁２７ａの外側に母乳パッド１を一周するフランジ部３０を有する。母乳パッド１はまた、ブラジャー等の着衣に対する止着域１２を有する。止着域１２には、コア２７とフランジ部３０とにまたがる周縁止着域１２ａ，１２ｃ，・・・が少なくとも三つ含まれる。それらの周縁止着域１２ａ，１２ｃ，・・・から抽出した三つの周縁止着域の間における三つの離間寸法Ｌは、いずれか一つの離間寸法を基準寸法としたときに、残りの二つの離間寸法が基準寸法の０．５−２倍の範囲内におさまる。【選択図】図２
2014055386.tif 000002
【特許請求の範囲】
【請求項１】
内面側と外面側とを有し、前記内面側に位置する透液性のトップシートと、前記外面側に位置する不透液性のバックシートと、吸液性材料の集合体で形成されたコアを含み前記トップシートと前記バックシートとの間に介在する吸収体とを有し、前記バックシートおよび前記バックシートをその外側から覆う被覆シートのいずれかに着衣に対する止着域が形成されていて、互いに直交する縦方向と横方向とを有する母乳パッドであって、
前記母乳パッドは、前記コアの周縁の外側に、前記周縁に沿って前記母乳パッドを一周するフランジ部を有し、前記止着域には、前記コアと前記フランジ部とにまたがる態様にあって前記コアの周縁に沿って並ぶ周縁止着域が少なくとも三つ含まれており、かつ、前記止着域には、前記周縁止着域のうちから抽出した三つの前記周縁止着域の間における前記周縁に沿う三つの離間寸法の関係が、いずれか一つの前記離間寸法を基準寸法としたときに、残りの二つの離間寸法が前記基準寸法の０．５−２倍の範囲内におさまる関係にあることを特徴とする前記母乳パッド。
【請求項２】
前記母乳パッドは、前記縦方向へ弾性的に伸長した状態で延びる弾性部材を前記フランジ部に有し、前記弾性部材の収縮によってカップ形状を呈し、前記三つの離間寸法が、前記弾性部材を伸長させるとともに前記母乳パッドを平坦な状態に伸展させて測定される請求項１記載の母乳パッド。
【請求項３】
前記平坦な状態に伸展させた前記母乳パッドでは、前記コアの周縁に四つの頂角が内接する正方形および長方形のいずれかの四角形における前記頂角の部分に前記止着域のうちの前記周縁止着域が前記周縁の内側に向かって広がるように形成されている請求項１または２記載の母乳パッド。
【請求項４】
前記縦方向において隣り合う前記周縁止着域どうしの間には、前記止着域のうちで前記コアの周縁の内側にのみ存在する中間止着域が形成されている請求項１−３のいずれかに記載の母乳パッド。
【請求項５】
前記吸収体は前記コアを被覆するラッピングシートを有し、前記フランジ部が前記バックシートと前記被覆シートと前記ラッピングシートとのうちの少なくとも一つと前記トップシートとによって形成されている請求項１−４のいずれかに記載の母乳パッド。
【請求項６】
前記止着域のそれぞれは前記縦方向と前記横方向とにおいて互いに離間し、前記止着域どうしの間には非止着域が形成されている請求項１−５のいずれかに記載の母乳パッド。
【請求項７】
前記縦方向へ延びる前記弾性部材の両端部は、前記縦方向に並ぶ前記周縁止着域のうちで前記縦方向の両端に位置するものを越えることがない態様で前記母乳パッドに取り付けられている請求項２−６のいずれかに記載の母乳パッド。
【請求項８】
前記母乳パッドは、前記横方向へ延びる折曲線に沿って、前記トップシートを内側にして二つに折り重ねられた状態で個袋に収納されており、前記縦方向において、前記止着域が前記折曲線をまたぐように形成されている請求項１−７のいずれかに記載の母乳パッド。
【請求項９】
前記母乳パッドは、カップ形状となるように立体的に成形されていて、前記トップシートが前記カップ形状の内側にあり、前記三つの離間寸法が、前記カップ形状のままの前記母乳パッドで測定される請求項１記載の母乳パッド。
【請求項１０】
前記トップシートには、前記内面側から前記外面側に向かってくぼむ多数の圧搾部が千鳥状となるように前記縦方向と前記横方向とに間欠的に形成されている請求項１−９のいずれかに記載の母乳パッド。
【発明の詳細な説明】
【技術分野】
【０００１】
この発明は、母親等の着衣が母乳で汚れることを防止可能な母乳パッドに関する。
【背景技術】
【０００２】
母親等の授乳者が母乳で着衣を汚すことがあることは広く知られている。また、その汚れを防止するために使用する母乳パッドは公知でもあり周知でもある。
【０００３】
例えば、特開２００７−３２７１５９号公報に記載の母乳パッドは、弾性部材が収縮することによりカップ形状になるもので、横方向の中央部において縦方向へ延びる感圧接着剤層が母乳パッドの外面に形成されている。母乳パッドは、その感圧接着剤層を使用することによって、授乳者が着用するブラジャー等の着衣に取り付けることができる。
【先行技術文献】
【特許文献】
【０００４】
【特許文献１】特開２００７−３２７１５９号公報（Ｐ２００７−３２７１５９Ａ）
【発明の概要】
【発明が解決しようとする課題】
【０００５】
ブラジャーの内面に取り付けた従来例の母乳パッドは、ブラジャーと一体となり、乳房に対してブラジャーの位置を適正にすれば、母乳パッドもまた乳房に対して適正な位置をとることができる。しかし、授乳のために、乳房に対してブラジャーの位置をずらしたり、ブラジャーの上方部分を外側に向けて折り曲げたりすると、母乳パッドの周辺域、特に粘着剤層から遠く離れている周辺域は、ブラジャーと一体になって動くことが困難で、しわを生じたり、折れ曲がりを生じたりすることがある。授乳が終わり、乳房に対してブラジャーを元の状態に戻そうとするときには、母乳パッドにしわや折れ曲がりが残り、それらが乳房に対して不快な刺激を与えることがある。
【０００６】
そこで、この発明は、ブラジャー等の着衣に取り付けた母乳パッドによって乳房に対して刺激を与えることがないように、従来の母乳パッドに改良を施すことを課題にしている。
【課題を解決するための手段】
【０００７】
前記課題を解決するために、この発明が対象とするのは、内面側と外面側とを有し、前記内面側に位置する透液性のトップシートと、前記外面側に位置する不透液性のバックシートと、吸液性材料の集合体で形成されたコアを含み前記トップシートと前記バックシートとの間に介在する吸収体とを有し、前記バックシートおよび前記バックシートをその外側から覆う被覆シートのいずれかに着衣に対する止着域が形成されていて、互いに直交する縦方向と横方向とを有する母乳パッドである。
【０００８】
この母乳パッドにおいて、この発明が特徴とするところは、以下のとおりである。すなわち、前記母乳パッドは、前記コアの周縁の外側に、前記周縁に沿って前記母乳パッドを一周するフランジ部を有する。前記止着域には、前記コアと前記フランジ部とにまたがる態様にあって前記コアの周縁に沿って並ぶ周縁止着域が少なくとも三つ含まれており、かつ、前記止着域には、前記周縁止着域のうちから抽出した三つの前記周縁止着域の間における前記周縁に沿う三つの離間寸法の関係が、いずれか一つの前記離間寸法を基準寸法としたときに、残りの二つの離間寸法が前記基準寸法の０．５−２倍の範囲内におさまる関係にある。
【０００９】
この発明の実施態様の一つにおいて、前記母乳パッドは、前記縦方向へ弾性的に伸長した状態で延びる弾性部材を前記フランジ部に有し、前記弾性部材の収縮によってカップ形状を呈し、前記三つの離間寸法が、前記弾性部材を伸長させるとともに前記母乳パッドを平坦な状態に伸展させて測定される。
【００１０】
この発明の実施態様の一つにおいて、前記平坦な状態に伸展させた前記母乳パッドでは、前記コアの周縁に四つの頂角が内接する正方形および長方形のいずれかの四角形における前記頂角の部分に前記止着域のうちの前記周縁止着域が前記周縁の内側に向かって広がるように形成されている。
【００１１】
この発明の実施態様の一つにおいて、前記縦方向において隣り合う前記周縁止着域どうしの間には、前記止着域のうちで前記コアの周縁の内側にのみ存在する中間止着域が形成されている。
【００１２】
この発明の実施態様の一つにおいて、前記吸収体は前記コアを被覆するラッピングシートを有し、前記フランジ部が前記バックシートと前記被覆シートと前記ラッピングシートとのうちの少なくとも一つと前記トップシートとによって形成されている。
【００１３】
この発明の実施態様の一つにおいて、前記止着域のそれぞれは前記縦方向と前記横方向とにおいて互いに離間し、前記止着域どうしの間には非止着域が形成されている。
【００１４】
この発明の実施態様の一つにおいて、前記縦方向へ延びる前記弾性部材の両端部は、前記縦方向に並ぶ前記周縁止着域のうちで前記縦方向の両端に位置するものを越えることがない態様で前記母乳パッドに取り付けられている。
【００１５】
この発明の実施態様の一つにおいて、前記母乳パッドは、前記横方向へ延びる折曲線に沿って、前記トップシートを内側にして二つに折り重ねられた状態で個袋に収納されており、前記縦方向において、前記止着域が前記折曲線をまたぐように形成されている。
【００１６】
この発明の実施態様の一つにおいて、前記母乳パッドは、カップ形状となるように立体的に成形されていて、前記トップシートが前記カップ形状の内側にあり、前記三つの離間寸法が、前記カップ形状のままの前記母乳パッドで測定される。
【００１７】
この発明の実施態様の一つにおいて、前記トップシートには、前記内面側から前記外面側に向かってくぼむ多数の圧搾部が千鳥状となるように前記縦方向と前記横方向とに間欠的に形成されている。
【００１８】
この発明において、コアの周縁に沿う離間寸法は、シンワ測定（株）（Ｓｈｉｎｗａ  Ｒｕｌｅｓ  Ｃｏ．，Ｌｔｄ．，Ｎｉｉｇａｔａ，Ｊａｐａｎ）製のスプリングメジャーまたはそれと同程度以上の精度で離間寸法を測定することのできる適宜のメジャーを使用して測定される値を意味している。また、離間寸法を対比するときには、可能であるならば少なくとも３個の試料についての離間寸法の平均値を使用する。
【発明の効果】
【００１９】
この発明に係る母乳パッドは、コアとフランジ部とにまたがる少なくとも三つの周縁止着域を有する。それらの周縁止着域から抽出した三つの周縁止着域の間では、三つの離間寸法のうちのいずれか一つを基準寸法としたときに，残りの二つの離間寸法が基準寸法の０．５−２倍の範囲内にある。離間寸法がこのような関係にある周縁止着域は、母乳パッドの周方向において、互いに大きく離間することがなく、母乳パッドのフランジ部の全体をブラジャー等の着衣に固定して、フランジ部を起点にして母乳パッドに折れ曲がりが生じたり、しわが生じたりすることを防ぐことができるので、この発明に係る母乳パッドは乳房に対して不快な刺激を与えることがない。
【図面の簡単な説明】
【００２０】
【図１】母乳パッドの斜視図。
【図２】母乳パッドの外面側を示す平面図。
【図３】母乳パッドの内面側を示す平面図。
【図４】（ａ）は図２のＩＶ−ＩＶ線断面図、（ｂ）は（ａ）の母乳パッドを厚さ方向に分解して示す図。
【図５】図２のＶ−Ｖ線断面図。
【図６】周縁止着域の配置例を示す図。
【図７】周縁止着域の配置例を示す図。
【図８】実施態様の一例を示す図１と同様な図。
【図９】図８の母乳パッドの外面側を示す平面図。
【図１０】実施態様の一例を示す図９と同様な図。
【図１１】母乳パッドが収納された個袋の部分破断斜視図。
【図１２】カップ形状に成形されている母乳パッドの斜視図。
【発明を実施するための形態】
【００２１】
添付の図面を参照し、この発明に係る母乳パッドの詳細を説明すると、以下のとおりである。
【００２２】
図１は、カップ形状を呈している母乳パッド１の斜視図である。母乳パッド１は、着用者の肌（図示せず）と向かい合う内面側２（図２参照）と、ブラジャー等の着衣（図示せず、以下では単にブラジャーという）と向かい合う外面側３とを有し、図１ではその外面側３が見えている。母乳パッド１はまた、互いに直交する縦方向Ａと横方向Ｂとを有し、図示例では、横方向Ｂの寸法を二等分して縦方向Ａへ延びる中心線Ｐに関して対称となるように形成されている。かような母乳パッド１は、縦方向Ａの両端にあって母乳パッド１の外側に向かって凸となる弧を画いて横方向Ｂへ延びる端縁部６，７と横方向Ｂの両側にあって縦方向Ａへ直状に延びる側縁部８，９とを有し、側縁部８，９のそれぞれには、縦方向Ａにおいて弾性的に伸長、収縮可能なギャザー１１が形成されている。外面側３には、五つの止着域１２（１２ａ，１２ｂ，１２ｃ，１２ｄ，１２ｅ）が形成されている。これらの止着域１２は、母乳パッド１をブラジャーの内面に取り付けるために使用されるものであって、粘着性を有し、外面側３に粘着剤を塗布したり、粘着性テープ片を貼付したりすることによって形成されている。止着域１２それぞれの周囲には、非止着域１３が形成されている。止着域１２は、仮想線で示されたセパレータ１６によって被覆保護されている。
【００２３】
図２は、平坦な状態にある母乳パッド１の外面側３を示す平面図である。この図の母乳パッド１は、図１における母乳パッド１を、ギャザー１１が伸長状態となるように伸展させることによって得ることができる。この平面図においても、母乳パッド１の端縁部６，７は、母乳パッド１の外側に向かって凸となるような弧を画いている。側縁部８，９は、互いに平行となるように縦方向Ａへ延びている。
【００２４】
図３は、図２における母乳パッド１の内面側２を示す図である。その内面側２には、透液性のトップシート２１が位置している。トップシート２１には、内面側２から外面側３に向かってくぼむ多数の圧搾部２１ａが形成されている。圧搾部２１ａは、縦方向Ａに中心間隔Ｓ１で並び、横方向Ｂに中心間隔Ｓ２で並んでいて、多数の圧搾部２１ａが千鳥状に分布している。
【００２５】
図４において、（ａ）は図２のＩＶ−ＩＶ線断面図であり、（ｂ）は（ａ）における母乳パッド１を厚さ方向Ｃにおいて分解して示す図である。これらの図（ａ），（ｂ）において、母乳パッド１は、透液性のトップシート２１と、不透液性のバックシート２２と、トップシート２１とバックシート２２との間に介在する吸収体２３と、バックシート２２を外面側３において覆う被覆シート２６とを有する。トップシート２１と被覆シート２６とは、吸収体２３における後記コア２７の周縁から延出する部分において重なり合い、ホットメルト接着剤２４を介して互いに接合することによってフランジ部３０を形成している。ただし、フランジ部３０の周縁３０ａにおいて、トップシート２１と被覆シート２６とはホットメルト接着剤２４を塗布されておらず、非接合状態にある。
【００２６】
被覆シート２６は、両側に折り返し部分２６ａを有し、その折り返し部分２６ａでは被覆シート２６が被覆シート２６自身とバックシート２２とに重なっていて、ホットメルト接着剤（図示せず）を介して接合している。折り返し部分２６ａのそれぞれでは、横方向Ｂにおいて互いに離間している第１弾性部材３１と第２弾性部材３２とが縦方向Ａへ互いに平行して延びている。第１弾性部材３１は、被覆シート２６における折曲線２６ｂに隣接する一方、第２弾性部材３２は、吸収体２３の下方にあり、これら両弾性部材３１，３２がホットメルト接着剤（図示せず）を介して被覆シート２６に伸長状態で接合している。被覆シート２６にはまた、止着域１２が形成されていて、その止着域１２がセパレータ１６によって被覆保護されている。
【００２７】
吸収体２３は、粉砕パルプ等の吸液性材料の集合体であるコア２７と、ティッシュペーパ等の透液性シートで形成されていてコア２７を被覆しているラッピングシート２８とを有する。図示例のラッピングシート２８は、内側ラッピングシート２８ａと外側ラッピングシート２８ｂとによって形成されている。
【００２８】
図５は、図２のＶ−Ｖ線断面図である。図５における吸収体２３では、コア２７の周縁２７ａの一部である端縁３６，３７のそれぞれから内側ラッピングシート２８ａと外側ラッピングシート２８ｂとが延出してラッピングシート２８の延出部４１，４２を形成している。延出部４１，４２のそれぞれは、フランジ部３０におけるトップシート２１とバックシート２２との間に介在し、ホットメルト接着剤２４を介してトップシート２１またはバックシート２２に接合してフランジ部３０の一部分になっている。バックシート２２は、コア２７の端縁３６，３７から延出してフランジ部３０の周縁３０ａにまで延びている。被覆シート２６もまたフランジ部３０の周縁３０ａにまで延びている。被覆シート２６の外面側には後記止着域１２のうちの周縁止着域１２ｃ，１２ｄと中間止着域１２ｅとが形成され、これら止着域１２がセパレータ１６で被覆保護されている。
【００２９】
再び図２において、母乳パッド１には、吸収体２３におけるコア２７とラッピングシート２８とが鎖線で示されている。コア２７の平面形状は、母乳パッド１の平面形状とほぼ相似の長円形であって、弧を画く端縁３６，３７と、直状に延びる側縁３８，３９とによってコア２７の周縁２７ａが形成されている。ラッピングシート２８は、縦方向Ａにおいて、コア２７の端縁３６，３７からの延出部４１，４２を有し、横方向Ｂにおいてコア２７の側縁３８，３９に接している。トップシート２１とバックシート２２と被覆シート２６とは、コア２７の端縁３６，３７から延出し、ホットメルト接着剤２４を介して互いに接合してフランジ部３０の一部を形成している（図５参照）。また、トップシート２１と被覆シート２６とは、コア２７の側縁３８，３９からも延出し、互いに重なり合い、ホットメルト接着剤２４を介して互いに接合して、フランジ部３０の一部を形成している（図４参照）。ただし、縦方向Ａにおいて、フランジ部３０のトップシート２１と被覆シート２６との間の一部分には、ラッピングシート２８の延出部４１，４２が介在している。第１、第２弾性部材３１，３２それぞれの両端部３１ａ，３２ａは、縦方向Ａに並ぶ止着域１２のうちで縦方向Ａの両端部となる周縁止着域１２ａ，１２ｃおよび１２ｄのそれぞれを越えることのない位置にある。
【００３０】
図２においてはまた、コア２７の端縁３６，３７に対して四つの頂角４５ａ，４５ｂ，４５ｃ，４５ｄが内接する正方形および長方形のいずれかである四角形４５が仮想線で示されている。四角形４５の各辺は、中心線Ｐ，Ｑのいずれかに平行している。頂角４５ａ，４５ｄが形成されている部分には、コア２７の周縁２７ａの内側に向かって広がるように止着域１２のうちの周縁止着域１２ａ，１２ｄが形成され、頂角４５ｂと４５ｃとを結ぶ線の中点部分には止着域１２のうちの周縁止着域１２ｃが形成されている。これらの周縁止着域１２ａ，１２ｃ，１２ｄのそれぞれは、正方形または横方向Ｂに長い長方形のいずれかの四角形に作られることが好ましいもので、図では長方形に作られている。周縁止着域１２ａ，１２ｃ，１２ｄそれぞれは、コア２７の周縁２７ａを越えてフランジ部３０へと延出している延出部１５ａ，１５ｃ，１５ｄを有する。換言すると、周縁止着域１２ａ，１２ｃ，１２ｄのそれぞれは、コア２７の周縁２７ａと交差し、コア２７とフランジ部３０とにまたがるように形成されている。
【００３１】
止着域１２のうちの中間止着域１２ｂ，１２ｅは、コア２７の周縁２７ａの内側にあって周縁２７ａとは交差することがないもので、縦方向Ａにおいて周縁止着域１２ａと１２ｃとの間および周縁止着域１２ｄと１２ｃとの間に位置している。これら中間止着域１２ｂ，１２ｅもまた、正方形または横方向Ｂに長い長方形に作られることが好ましいもので、図では長方形に作られていて、中心線Ｑをまたいでいる。
【００３２】
図６の母乳パッド１は、図２の母乳パッド１と同じものであるが、母乳パッド１の外形線と、コア２７の周縁２７ａと、止着域１２（１２ａ−１２ｅ）と、第１、第２弾性部材３１，３２とのみが示されている。止着域１２のうちの周縁止着域１２ａ，１２ｃ，１２ｄは、コア２７の周縁２７ａからフランジ部３０に向かっての延出部１５ａ，１５ｃ，１５ｄと周縁２７ａとの交差部Ｆ１−Ｆ６を有する。周縁２７ａの上において隣り合う交差部Ｆ１とＦ２，Ｆ３とＦ４、Ｆ５とＦ６の間の周縁部２７ａに沿った離間寸法Ｌは、Ｌ１，Ｌ２，Ｌ３である。これらの離間寸法Ｌ１，Ｌ２，Ｌ３は、いずれか一つの離間寸法を基準寸法としたときに、残りの二つの離間寸法が基準寸法の０．５−２倍の範囲内におさまるという関係を持つように、それらの寸法が定められている。換言すると、その関係が得られるように、周縁止着域１２ａ，１２ｃ，１２ｄが位置決めされている。発明者が知見したところによれば、そのような関係を持つ母乳パッド１では、フランジ部３０の周方向における所要範囲を、より好ましい場合にはフランジ部３０の全周をブラジャーの内面に接触させることができて、フランジ部３０や吸収体２３に折れ曲がりやしわの生じることを防ぐことができる。
【００３３】
止着域１２が図６の状態にある母乳パッド１は、周縁止着域１２ａ，１２ｄが上方となるようにしてブラジャーに取り付けることによって、従来であれば特に折れ曲がりやしわの生じ易い母乳パッド１の上方部分におけるフランジ部３０では、その折れ曲がりやしわが発生しにくくなる。また周縁止着域１２ｃは、フランジ部３０が下から上に向かって折れ曲がり、例えば母乳パッド１の内面側と乳房（図示せず）との間に進入した状態になることを防いでいる。
【００３４】
図７は、母乳パッド１における周縁止着域１２の配置例を示す図６と同様な図である。図７の母乳パッド１は、中心線Ｐに関して対称なもので、三つの周縁止着域１２ａ，１２ｃ，１２ｄが形成されていて、それぞれの周縁止着域１２ａ，１２ｃ，１２ｄが延出部１５ａ，１５ｃ，１５ｄを有している。周縁止着域１２ａと１２ｃとの離間寸法はＬ１であり、周縁止着域１２ｃと１２ｄとの間の離間寸法はＬ２であり、周縁止着域１２ｄと１２ａとの間の離間寸法はＬ３である。これらの離間寸法Ｌ１，Ｌ２，Ｌ３もまた、いずれか一つの離間寸法、例えば離間寸法Ｌ１を基準寸法としたときに、離間寸法Ｌ２とＬ３は離間寸法Ｌ１の０．５−２倍の範囲内にあるという関係を有している。母乳パッド１の一例において、離間寸法Ｌ１とＬ３とは等しく、離間寸法Ｌ２は離間寸法Ｌ１の２倍の大きさを有している。この母乳パッド１は、周縁止着域１２ａが上方となるようにしてブラジャーに取り付けると、母乳パッド１の上側半分におけるフランジ部３０をブラジャーの内面に接触させておくことができて、図６の態様の母乳パッド１の作用効果と同様な作用効果を奏することができる。ただし、周縁止着域１２ｃと１２ｄとは、第２弾性部材３２と交差していて、第２弾性部材３２の伸長・収縮の妨げになることがある。そのようなことを嫌う場合には、第２弾性部材３２を使用することなく、この発明を実施することができる。なお、母乳パッド１の好ましい一例においては、図７に例示の如く、周縁止着域１２ａが中心線Ｐの上に位置し、周縁止着域１２ｃ，１２ｄは中心線Ｑの上に位置している。図７は、中間止着域が形成されていない母乳パッド１の一例を示すものでもある。
【００３５】
図８，９は、実施態様の一例を示す図１，２と同様な図である。図８の母乳パッド１では、外面側３に六つの止着域１２（１２ａ，１２ｂ，１２ｃ，１２ｄ，１２ｅ，１２ｆ）が形成されている。その母乳パッド１の好ましい一例において、六つの止着域１２ａ，１２ｂ，１２ｃ，１２ｄ，１２ｅ，１２ｆは、図示例の如く中心線Ｐと中心線Ｑとに関して対称となるように、またはほぼ対称となるように形成されている。図９においてはまた、コア２７の端縁３６，３７に対して頂角４５ａ，４５ｂ，４５ｃ，４５ｄが内接する正方形及び長方形のいずれかである四角形４５が仮想線で示されている。頂角４５ａ，４５ｂ，４５ｃ，４５ｄが存在する部分には、長方形の周縁止着域１２ａ，１２ｃ，１２ｄ，１２ｆが形成されていて、これらの周縁止着域１２ａ，１２ｃ，１２ｄ，１２ｆが、コア２７の周縁２７ａを越えてフランジ部３０へ進入している延出部１５ａ，１５ｃ，１５ｄ，１５ｆを有している。これら延出部１５ａ，１５ｃ，１５ｄ，１５ｆは、コア２７の周縁２７ａとの交差部Ｆ１−Ｆ８を有している。周縁２７ａの上において隣り合う交差部Ｆ１とＦ２、Ｆ３とＦ４、Ｆ５とＦ６、Ｆ７とＦ８の間の周縁２７ａに沿った離間寸法Ｌは、それぞれＬ１，Ｌ２，Ｌ３，Ｌ４である。これらの離間寸法Ｌ１，Ｌ２，Ｌ３，Ｌ４は、コア２７の周縁２７ａの全長を四等分するように、またはほぼ四等分するように形成されていると、フランジ部３０の全周をほぼ等間隔でブラジャーに対して一体化させて、フランジ部３０や吸収体２３に折れ曲がりやしわの生じることを防ぐことができる。しかし、この母乳パッド１ではまた、四つの周縁止着域１２ａ，１２ｃ，１２ｄ，１２ｆから抽出した三つの周縁止着域１２の間における周縁２７ａに沿っての三つの離間寸法Ｌが、図１，２に例示の母乳パッド１における三つの離間寸法Ｌ１，Ｌ２，Ｌ３の間の関係を満たすようなものであると、すなわち、いずれか一つの離間寸法Ｌを基準寸法にしたときに、残りの二つの離間寸法Ｌが基準寸法の０．５−２倍の範囲内におさまるものであると、図１，２の母乳パッド１における三つの周縁止着域１２ａ，１２ｃ，１２ｄが奏する作用効果と同等、またはその作用効果よりも優れた作用効果を得ることができる。そして、四つ目の周縁止着域１２は、三つの周縁止着域が奏する作用効果を向上させるように作用する。
【００３６】
例えば図９において、四つの周縁止着域１２ａ，１２ｃ，１２ｄ，１２ｆから三つの周縁止着域１２ａ，１２ｃ，１２ｄを抽出すると、これら周縁止着域１２ａ，１２ｃ，１２ｄどうしの間の三つの離間寸法Ｌは、およそＬ１，Ｌ２＋Ｌ３，Ｌ４となる。なお、ここで、周縁止着域１２ｃと１２ｄとの間の離間寸法は、周縁止着域１２ｆが周縁２７ａと交差している部分の寸法を算入することのない、離間寸法Ｌ２とＬ３との和を意味している。このようにして得られた離間寸法Ｌ１，Ｌ２＋Ｌ３，Ｌ４の間では、例えば離間寸法Ｌ１を基準寸法としたときに、残りの二つの離間寸法Ｌ２＋Ｌ３，Ｌ４が離間寸法Ｌ１の０．５−２倍の範囲内におさまるように離間寸法Ｌ１，Ｌ２，Ｌ３，Ｌ４の間の関係を定めることによって、図９の母乳パッド１は、図１のパッド１と同等の作用効果を奏することが可能である。また、図９の母乳パッド１は、周縁止着域１２ｆがもたらす作用効果を加味して考えると、フランジ部３０とブラジャーとを接触させ、一体化するうえにおいて、図１のパッド１よりも優れた作用効果を発揮することが可能である。さらにはまた、図９の形状の母乳パッド１は、それを着用するときに、上下方向を区別したり、左右方向を区別したりすることが不要であることにおいて、図１等に例示の母乳パッドよりも使い易いものである。
【００３７】
図９の母乳パッド１における離間寸法Ｌ１，Ｌ２，Ｌ３，Ｌ４の具体例として、Ｌ１＝Ｌ３＝６７ｍｍ、Ｌ２＝Ｌ４＝５７ｍｍに設定することができる。このときの三つの離間寸法はＬ１＝６７ｍｍ、Ｌ２＋Ｌ３＝１２４ｍｍ、Ｌ４＝５７ｍｍであって離間寸法Ｌ１を基準寸法としたときに、Ｌ２＋Ｌ３はＬ２の２倍よりも小さく、Ｌ４はＬ１の０．５倍よりも大きく、図１，２に例示の母乳パッド１における離間寸法Ｌについての条件を満たしている。
【００３８】
図１０は、実施態様の一例を示す図９と同様な図である。ただし、図１０の母乳パッド１では、図９においての中間止着域１２ｂ，１２ｅのそれぞれが延出部１５ｂ，１５ｅのそれぞれを有する周縁止着域１２ｂ，１２ｅに変化している。すなわち、図１０の母乳パッド１は、六つの周縁止着域１２ａ，１２ｂ，１２ｃ，１２ｄ，１２ｅ，１２ｆを有し、コア２７の周縁２７ａの上において隣り合う周縁止着域１２ａと１２ｂ、１２ｂと１２ｃ、１２ｃと１２ｆ、１２ｆと１２ｅ、１２ｅと１２ｄ、１２ｄと１２ａそれぞれの離間寸法Ｌは、図示のとおりＬ１−１，Ｌ１−２，Ｌ２，Ｌ３−１，Ｌ３−２，Ｌ４である。このような母乳パッド１では、六つの周縁止着域１２ａ−１２ｆのうちから抽出した三つの周縁止着域１２の間の三つの離間寸法Ｌについて、一つの離間寸法Ｌを基準寸法としたときに、残りの二つの離間寸法Ｌが基準寸法の０．５−２倍の範囲内におさまるように、いずれか三つの周縁止着域１２が配置されていればよい。換言すると、このような関係を満たす三つの周縁止着域１２が六つの周縁止着域１２ａ−１２ｆの中に含まれていればよい。三つの周縁止着域１２としては、例えば周縁止着域１２ａ，２ｃ，１２ｅを抽出したり、周縁止着域１２ｂ、１２ｄ，１２ｆを抽出したりすることができる。
【００３９】
これら例示の母乳パッド１は、第１，第２弾性部材３１，３２が収縮することによって図１に例示の如きカップ形状のものになる。その母乳パッド１は、セパレータ１６を剥離して使用する。カップ形状を呈している母乳パッド１は、その外面側３の止着域１２をブラジャーの内面に押しつけるようにして取り付ける。取り付けられた母乳パッド１では、外面側３のほぼ全体が一様にブラジャーと接触することによって、好ましくはブラジャーと密着することによって、その全体がブラジャーと一体に動くようになるから、授乳するためにブラジャーを押し下げたり、外側に向かって折り曲げたりしたときでも、母乳パッド１はブラジャーとともに動き、母乳パッド１だけが勝手に動いて、ブラジャーから部分的に離間し、母乳パッド１にしわが入り易くなったり、折れ曲がり易くなったりするということが抑えられる。母乳パッド１はまた、止着域１２のうちの周縁止着域１２ａ等がコア２７とフランジ部３０とにまたがるように形成されていることによって、従来の母乳パッドであるならばブラジャーの内面から離間してめくれ易いフランジ部をブラジャーの内面に沿わせ、フランジ部が基点となって母乳パッドにしわが生じるとか、母乳パッドが部分的にブラジャーの内面から離れて折れ曲がるとかという問題の発生を防ぐことができる。こうしたことによって、この発明に係る母乳パッド１は、それが使用されているときに、乳房に対して不快な刺激を与えることがない。
【００４０】
母乳パッド１ではまた、止着域１２どうしの間に形成されている非止着域１３がブラジャーによって拘束されることの少ない変形容易な部分となる。そのような非止着域１３は、着用中のブラジャーが変形したときに、その変形に伴って変形して、止着域１２の変形を抑え、止着域１２がブラジャーから剥離するという問題の発生を防ぐことができる。
【００４１】
母乳パッド１に形成されている多数の圧搾部２１ａは、エンボス加工用のピンをトップシート２１に押し当てることによって形成することができるもので、ピンには直径０．５−１．５ｍｍのものを室温状態または加熱状態で使用することができる。ピンを加熱するときには、母乳パッド１に使用されている熱可塑性合成樹脂を軟化させる程度の温度を上限にすることが好ましい。なお、圧搾部２１ａは、バックシート２２を貫通することがないように形成されるべきものである。圧搾部２１ａの中心間隔Ｓ１は中心間隔Ｓ２と同じであるか、中心間隔Ｓ２よりも大きいことが好ましい。一例として、圧搾部２１ａの直径を約１ｍｍ、中心間隔Ｓ１を約１２ｍｍ、中心間隔Ｓ２を約１０ｍｍにすることができる。図示例の如く多数の圧搾部２１ａがトップシート２１に千鳥状に分布している母乳パッド１では、第１、第２弾性部材３１，３２を収縮させてそれをカップ形状にするときに、カップ形状の内面を形成しているトップシート２１では、隣り合う圧搾部２１ａと２１ａとをつなぐように延びる多数の小じわを作ることができるので、母乳パッド１はゆがみの少ないカップ形状となり、ブラジャーの内面に対しても乳房に対してもフィットし易いものになる。
【００４２】
図１１は、個袋５１に収納されている母乳パッド１の一例を示す図であって、個袋５１が部分的に破断されている。この母乳パッド１は、図１に例示のものであって、トップシート２１が内側となるようにして、中心線Ｑに沿って折り重ねられている。個袋５１は、プラスチックフィルムや不織布等のシート片を折り重ね、シート片の両側部分にシールライン５２を施すことによって形成されている。その個袋５１は、第１部分５３と第２部分５４と第３部分５５とを有し、第１部分５３は折り重ねられた母乳パッド１によって挟まれている。第３部分５５は、個袋５１を開閉することができる部分であって、矢印Ｒで示される方向へ引っ張ることによって、シールライン５２によるシールが解けて、個袋５１が開放状態となり、母乳パッド１を個袋５１から取り出すことができる。
【００４３】
個袋５１から取り出した母乳パッド１には中心線Ｑに沿っての折り癖が残っているが、その母乳パッド１には、中心線Ｑをまたぐように例えば中間止着域１２ｂ，１２ｅが形成されている。一般に、折り癖のついた母乳パッドは、ブラジャーに取り付けにくいものであるが、図示例の母乳パッド１であれば、止着域１２のうちの中間止着域１２ｂ，１２ｅを最初にブラジャーに接合することによって、その後には、折り癖の影響を受けることなく、残りの周縁止着域１２ｃをブラジャーに容易に接合することができる。
【００４４】
このように形成される母乳パッド１の一例において、それが図２の状態にあるときの中心線Ｐに沿う寸法は１００−１５０ｍｍにすることができ、中心線Ｑに沿う寸法もまた１００−１５０ｍｍにすることができる。これら両寸法は、同じ値であってもよいし、長短の差を有していてもよい。また、トップシート２１には単位面積当たりの質量が７−２０ｇ／ｍ２の範囲にあって親水化処理してあるスパンボンド不織布を使用することができる。バックシート２２には、単位面積当たりの質量が１０−３０ｇ／ｍ２の範囲にあるポリエチレンフィルム、より好ましくは通気性のポリエチレンフィルムを使用することができる。被覆シート２６には、単位面積当たりの質量が１０−２０ｇ／ｍ２の範囲にあるスパンボンド−メルトブローン−スパンボンド不織布（ＳＭＳ不織布）を使用することができる。第１，第２弾性部材３１，３２には、７００−９００ｄｔｅｘのスパンデックス糸を１．５−２倍に伸長して使用することができる。第１弾性部材３１と第２弾性部材３２とは、横方向Ｂにおいて５−１５ｍｍ離間させておくことができる。止着域１２は、その平面形状を特に規定するものではないが、母乳パッド１の製造を容易にするうえにおいて、例えば、コア２７とフランジ部３０とにまたがるように止着域１２を作るうえにおいて、長方形または正方形のものであることが好ましい。止着域１２の縦方向Ａの寸法は５−２０ｍｍの範囲にあり、横方向Ｂの寸法は２５−３５ｍｍの範囲にあることが好ましい。隣り合う止着域１２どうしの縦方向Ａおよび横方向Ｂにおける離間寸法、すなわち、隣り合う止着域１２どうしの間に形成される非止着域１３の縦方向Ａおよび横方向Ｂにおける寸法は１０−２０ｍｍの範囲にあることが好ましい。
【００４５】
図１２は、この発明に係る母乳パッド１０１の斜視図である。母乳パッド１０１は、それがカップ形状となるように立体的に成形されているものであって、フランジ部３０を有し、外面側３には、六つの止着域１２が形成されている。六つの止着域１２には、四つの周縁止着域１２ａ，１２ｃ，１２ｄ，１２ｆと二つの中間止着域１２ｂ，１２ｅが形成されている。この場合の周縁止着域１２どうしの間の離間寸法Ｌは、カップ形状のままの母乳パッド１０１を使って測定される値である。周縁止着域１２ａ等のフランジ部３０に対する作用効果は、四つの周縁止着域１２ａ，１２ｃ，１２ｄ，１２ｆから抽出した三つの周縁止着域１２の間における三つの離間寸法Ｌについて、一つの離間寸法Ｌを基準寸法としたときに、残りの二つの離間寸法が基準寸法の０．５−２倍の範囲内にあればよい。
【００４６】
この発明を実施するに当たり、母乳パッド１の形状と構造とは、この発明の技術的思想から逸脱しない範囲において変更を加えることができる。例えば、図１の母乳パッド１において、バックシート２２を適宜の大きさに拡大することによって、被覆シート２６の使用を省くことができる。そのときの第１、第２弾性部材３１，３２は、トップシート２１とバックシート２２との間に介在させておくことができる。第１、第２弾性部材３１，３２のうちの第２弾性部材３２は、それを省いてこの発明を実施することができる。止着域１２は、縦方向Ａおよび／または横方向Ｂに並ぶ数を増やしたり減らしたりすることができる。止着域１２はまた、粘着性のものであることに代えて、マジックテープ（登録商標）等の名前で知られているメカニカルファスナーのフック部材を使用するものであってもよい。コア２７の端縁３６，３７に内接させる四角形４５は、その端縁３６，３７に対して内接する部位を適宜に選ぶことができる。コア２７の周縁２７ａに沿っての離間寸法Ｌは、シンワ測定（株）（Ｓｈｉｎｗａ  Ｒｕｌｅｓ  Ｃｏ．，Ｌｔｄ．，Ｎｉｉｇａｔａ，Ｊａｐａｎ）製のスプリングメジャーを使用して測定することができる。ただし、離間寸法Ｌは、スプリングメジャーと同程度以上の精度で離間寸法を測定することのできるメジャーを使用して測定される値であってもよい。離間寸法を対比するときには、可能であるならば少なくとも３個の試料を用意して、少なくとも３個の試料についての離間寸法の平均値を使用する。
【符号の説明】
【００４７】
１    母乳パッド
２    内面側
３    外面側
１２    止着域
１２ａ，１２ｃ、１２ｄ，１２ｆ    周縁止着域
１２ｂ，１２ｅ    中間止着域
１３    非止着域
１６    セパレータ
２１    トップシート
２１ａ    圧搾部
２２    バックシート
２３    吸収体
２６    被覆シート
２７    コア
２７ａ    周縁
２８，２８ａ，２８ｂ    ラッピングシート
３０    フランジ部
３１    弾性部材（第１弾性部材）
３１ａ    端部
３２    弾性部材（第２弾性部材）
３６，３７    周縁（端縁）
４５    四角形
４５ａ，４５ｂ，４５ｃ，４５ｄ    頂角
５１    個袋
Ａ    縦方向
Ｂ    横方向
Ｌ，Ｌ１，Ｌ１−１，Ｌ１−２，Ｌ２，Ｌ３，Ｌ３−１，Ｌ３−２，Ｌ４    離間寸法
Ｑ−Ｑ    折曲線（中心線）
【図１】
2014055386.tif 000003
【図２】
2014055386.tif 000004
【図３】
2014055386.tif 000005
【図４】
2014055386.tif 000006
【図５】
2014055386.tif 000007
【図６】
2014055386.tif 000008
【図７】
2014055386.tif 000009
【図８】
2014055386.tif 000010
【図９】
2014055386.tif 000011
【図１０】
2014055386.tif 000012
【図１１】
2014055386.tif 000013
【図１２】
2014055386.tif 000014